(57)【要約】【課題】収納設備の箱体の中への物の出し入れを容易にすることが可能となる収納設備を提供する。【解決手段】前側面１ｅに開口１ｆを有する箱体１と、箱体１の前側面１ｅ側に配置した折戸取付枠２と、箱体１の開口１ｆを開閉するように折戸取付枠２に係合させた折戸３とを有する収納設備において、折戸取付枠２の開口の横幅Ｓｂが、箱体１の開口の横幅Ｓａよりも広い、又は、折戸取付枠２の開口の横幅Ｓｂと箱体１の開口の横幅Ｓａとの差が、折戸のたたみ代Ｓｄと略同一である収納設備。。【選択図】　　　　図１
2004116068.tif 000002
【特許請求の範囲】
【請求項１】
前側面に開口を有する箱体と、箱体の前側面側に配置した折戸取付枠と、箱体の開口を開閉するように折戸取付枠に係合させた折戸とを有する収納設備において、折戸取付枠の開口の横幅が、箱体の開口の横幅よりも広いことを特徴とする収納設備。
【請求項２】
折戸取付枠の開口の横幅と箱体の開口の横幅との差が、折戸のたたみ代と略同一であることを特徴とする請求項１記載の収納設備。
【請求項３】
折戸取付枠の、少なくとも一方の縦枠の断面形状が、折戸を収納可能となるように略Ｌ字型であることを特徴とする請求項１又は請求項２記載の収納設備。
【発明の詳細な説明】
【０００１】
【発明の属する技術分野】
本発明は、住宅等の建物内に施工する、折戸で開閉する収納設備に関するものである。
【０００２】
【従来の技術】
従来より、住宅等の建物内に施工する、押し入れやキャビネット等の収納設備としては、例えば、特開平４ー４９９０８公報に開示されているように、建物躯体内に、箱体を埋めこみ施工して、その箱体の前側面の開口を開閉するよう折戸を配置した収納設備が用いられている。
【０００３】
図６は、従来の収納設備を例示した平断面図である。戸板３ａ、３ｂ二枚をヒンジ４を介して枢支して折戸３としている。この折戸３は、建物躯体１０内に埋めこみ施工された箱体１の前側面１ｅ側に配置された折戸取付枠２に、その箱体１の開口１ｆを開閉するように係合される。
【０００４】
ところが、折戸３が折りたたまれて開けられる従来の収納設備の場合、図６に示すように、折りたたまれた折戸のたたみ代Ｓｄ′が、箱体１の開口の横幅Ｓａ′の一部を塞ぐため、このたたみ代Ｓｄ′が邪魔になって、物を収納する箱体１からの、物の出し入れが不便になるという問題があった。
【０００５】
【発明が解決しようとする課題】
本発明は、上記の点に鑑みてなされたものであり、建築躯体内に埋めこみ施工した折戸を有する収納設備であって、収納設備の箱体の中へ、物の出し入れを容易にすることのできる収納設備を提供することを目的としている。
【０００６】
【課題を解決するための手段】
本発明は、上記目的を達成するために、収納設備を構成する箱体の開口の横幅より、折戸取付枠の開口の横幅を広くすることで、折戸のたたみ代を逃すことができるようにしたものである。
【０００７】
請求項１に係る発明の収納設備は、前側面に開口を有する箱体と、箱体の前側面側に配置した折戸取付枠と、箱体の開口を開閉するように折戸取付枠に係合させた折戸とを有する収納設備において、折戸取付枠の開口の横幅が、箱体の開口の横幅よりも広いことを特徴とする。
【０００８】
請求項２に係る発明の収納設備は、請求項１記載の収納設備において、折戸取付枠の開口の横幅と箱体の開口の横幅との差が、折り戸のたたみ代と略同一であることを特徴とする。
【０００９】
請求項３に係る発明の収納設備は、請求項１又は請求項２記載の収納設備において、折戸取付枠の、少なくとも一方の縦枠の断面形状が、折戸を収納可能となるように略Ｌ字型であることを特徴とする。
【００１０】
なお、ここでいうＬ字型とは、正のＬ字型のみならず、逆のＬ字型をも含むものとする。
【００１１】
【発明の実施の形態】
以下、本発明の実施形態を図面に沿って説明していく。
【００１２】
図１は、本実施形態の収納設備の平断面図を、図２は、同収納設備の縦断面図を、図３は、同収納設備の折戸で、（ａ）は正面図を、（ｂ）は背面図を示している。
【００１３】
本実施形態では、図１及び図２に示すように、建物躯体１０（１０ａは壁、１０ｂは床）内に、左右の側板１ｃ、１ｄと底板１ｂと天板１ａとを有するとともに前側面１ｅに開口１ｆを有する箱体１を埋め込み施工し、この箱体１の前側面１ｅ側に折戸取付枠２を配置し、箱体１の開口１ｆを開閉するように折戸取付枠２に折戸３を係合させて、収納設備としている。
【００１４】
上記折戸取付枠２は、図２に示すように、左右の縦枠（図示せず）と、これら縦枠の上下端にわたされる、吊りレール７ａが敷設された上枠１ａと案内レール７ｂが敷設された下枠２ｂとから構成される。折戸３は、図３に示すように、所要個（図３では２個）のヒンジ４により連結された左右一対の戸板３ａ、３ｂを有しており、折戸３の背面（ここでは、折戸枠取付枠側の面）の左右上端部側、すなわち、左側の戸板３ａの上端部左側及び右側の戸板３ｂの上端部右側に、上部ランナー５が設けられる。この上部ランナー５は、支持ブラケット５ａと、これら支持ブラケット５ａに軸心を上下方向に向け回転自在に設けられた回転軸５ｂと、これら回転軸５ｂに設けられたローラー支持体５ｃと、これらローラー支持体５ｃ各々に軸心を前後方向に向けるようにして回転自在に設けられ一対の左側及び右側のローラー５ｄから構成され、これらローラー５ｄが上枠２ａの吊りレール７ａ内を転動するように装着される。また、折戸３の左右下端部側、すなわち、左側の戸板３ａの下端部左側及び右側の戸板３ｂの下端部右側に、上部ランナー５と同様の下部ランナー６が設けられ、下部ランナー６のローラー６ｄが、下枠２ｂの案内レール７ｂ内を転動するように装着される。
【００１５】
本実施形態では、図１に示すように、折戸取付枠２の開口の横幅Ｓｂが、箱体１の開口の横幅Ｓａよりも、広いことが特に重要である。折戸取付枠２の開口の横幅Ｓｂが、箱体１の開口の横幅Ｓａと略同一幅であると、折戸３が折りたたまれて開けられる収納設備の場合、折りたたまれた折戸３には、折戸３のたたみ代Ｓｄがあるため、この折戸３のたたみ代Ｓｄが、箱体１の開口の横幅Ｓａの一部を塞いでしまうので、物を収納する箱体１から、物の出し入れが不便となる。ここで、折戸取付枠２の開口の横幅Ｓｂが、箱体１の開口の横幅Ｓａよりも広いと、広くなった分、折戸３のたたみ代Ｓｄを逃がすことができるので、物の出し入れに使用できる有効な開口幅Ｓｃをより広くすることができ、その結果、収納設備の箱体１の中への物の出し入れを容易にすることが可能となる。
【００１６】
なお、折戸取付枠２の開口の横幅Ｓｂと箱体１の開口の横幅Ｓａとの差は、折戸３のたたみ代Ｓｄと略同一にするのが好ましい。この差が、折戸３のたたみ代Ｓｄより小さいと、箱体１の開口の横幅Ｓａの全てを、物の出し入れに使用できる有効な開口幅Ｓｃとして使用できないので、収納設備の箱体の中への物の出し入れが容易になる度合いが低減する傾向にあり、また、この差が、折戸３のたたみ代Ｓｄより大きいと、箱体１の開口の横幅Ｓａの全てを、物の出し入れに使用できる有効な開口幅Ｓｃとして使用できるが、施工費用が高くなる傾向にある。
【００１７】
また、折戸取付枠２を形成する縦枠２ｃ、２ｄの内、少なくとも一方の縦枠（図１では２ｄ）の断面形状が、略Ｌ字型であることが好ましい。折戸取付枠２は、箱体１の前側面１ｆ側に配置するが、折戸取付枠２の開口の横幅は箱体１の開口の横幅より広く形成する必要がある。そこで、折戸取付枠２の少なくとも一方の縦枠の断面形状を略Ｌ字型にして、箱体１の開口の横幅より、広い横幅の折戸取付枠２を形成することで、この略Ｌ字の部分に折たたんだ折戸を収納可能とできるので、見栄えに優れ、また、折戸取付枠２の施工も、より容易となる。
【００１８】
本実施形態では、２枚の戸体３ａ、３ｂからなる折戸３を１枚用いた場合について説明したが、使用する戸体の数及び折戸の数は、特に限定されず、複数枚の戸体からなる複数枚の折戸を用いることもできる。
【００１９】
例えば、図４に示すように、２枚の戸体３ａ、３ｂからなる折戸３１、３２を２枚用いる場合は、一対の略Ｌ字型の縦枠２ｃ，２ｄを用いて、左側の折戸３１のたたみ代Ｓｄ１分左に広げ、右側の折戸３２のたたみ代Ｓｄ２分右に広げた戸枠２を箱体１の前側面１ｅ側に配置した収納設備とすることができる。この場合も、２つの折戸３１、３２のたたみ代Ｓｄ１、Ｓｄ２を逃がすことができるので、収納設備の箱体の中への物の出し入れを容易にすることが可能となる。
【００２０】
さらに、４枚の戸体３ａ、３ｂ、３ｃ、３ｄからなる折戸３を１枚用いる場合は、図５に示すように、略Ｌ字型の縦枠２ｃを一つ用いて、４枚の戸体３ａ、３ｂ、３ｃ、３ｄからなる折戸３のたたみ代Ｓｄ分右に広げ戸枠２を箱体１の前側面１ｅ側に配置した収納設備とすることができる。この場合も、４枚の戸体３ａ、３ｂ、３ｃ、３ｄからなる折戸３のたたみ代Ｓｄを逃がすことができるので、収納設備の箱体１の中への物の出し入れを容易にすることが可能となる。
【００２１】
その他、本発明は上記実施形態になんら限定されるものでなく、各種の態様が可能である。
【００２２】
【発明の効果】
請求項１〜請求項２に係る収納設備は、前側面に開口を有する箱体と、箱体の前側面側に配置した折戸取付枠と、箱体の開口を開閉するように折戸取付枠に係合させた折戸とを有する収納設備において、折戸取付枠の開口の横幅が、箱体の開口の横幅よりも広いので、収納設備の箱体の中への物の出し入れを容易にすることが可能となる収納設備となる。
【００２３】
請求項３に係る収納設備は、請求項１又は請求項２記載の収納設備において、折戸取付枠の、少なくとも一方の縦枠の断面形状が、折戸を収納可能となるように略Ｌ字型であるので、上記効果に加えて、見栄えの優れる収納設備となる。
【図面の簡単な説明】
【図１】本発明の実施形態に係る収納装置の概略示した平断面図である。
【図２】本発明の実施形態に係る収納装置の概略示した縦断面図である。
【図３】本発明の実施形態に係る収納装置の折戸の概略を説明する図で、（ａ）が正面図、（ｂ）が背面図である。
【図４】本発明の実施形態に係る収納装置の、他の例の概略を示した平断面図である。
【図５】本発明の実施形態に係る収納装置の、さらに他の例の概略示した平断面図である。
【図６】従来の収納装置を概略を示した平断面図である。
【符号の説明】
１　　　箱体
１ｅ　　前側面
１ｆ　　開口
２　　　折戸取付枠
３　　　折戸
Ｓａ　　箱体の開口の横幅
Ｓｂ　　折戸取付枠の開口の横幅
Ｓｄ　　折戸のたたみ代
【図１】
2004116068.tif 000003
【図２】
2004116068.tif 000004
【図３】
2004116068.tif 000005
【図４】
2004116068.tif 000006
【図５】
2004116068.tif 000007
【図６】
2004116068.tif 000008